(57)【要約】      （修正有）【課題】簡易な構造で高い確率で刃が外れた刃を引き込むことができる機構を有するケーブル被覆除去具を提供する。【解決手段】ケーブル被覆除去具Ｘとして、鉤状に形成された刃１１が先端に設けられた細長い板体からなる刃部１０と、前記刃部を先端側から出没できるように内部に保持する筒状体からなり、側面に長手方向に沿った長穴が形成される胴部２０と、前記胴部内部において、一端側が前記刃部に接合され他端側が前記胴部に接合される、前記刃部が前記胴部の先端側から突出した状態において前記刃部を前記胴部内部に引き込む力を付与する弾性体からなる引張り部３０と、前記刃部に固定され前記胴部の長穴２３から表出する突起からなる摘み部４０とを設ける。【選択図】図２
0003172431.tif 000002
【実用新案登録請求の範囲】
【請求項１】
鉤状に形成された刃が先端に設けられた細長い板体からなる刃部と、
前記刃部を先端側から出没できるように内部に保持する筒状体からなり、側面に長手方向に沿った長穴が形成される胴部と、
一端側が前記刃部に接合され他端側が前記胴部に接合される、前記刃部が前記胴部の先端側から突出した状態において前記刃部を前記胴部内部に引き込む力を付与する弾性体からなる引張り部と、
前記刃部に固定され前記胴部の長穴から表出する突起からなる摘み部と
を有するケーブル被覆除去具。
【考案の詳細な説明】
【技術分野】
【０００１】
本考案は、ケーブルの被覆を取り除くために、ケーブルの被覆を刃で切り開く器具に関する。
【背景技術】
【０００２】
従来、ケーブルの被覆を取り除くための器具として、ケーブルストリッパーやカッターナイフが用いられてきた。ケーブルストリッパーはパイプ体の先端に突出長さが調節できる刃を設け、刃に対向する位置にケーブルを保持するフックを設けた器具であり、ケーブルをフックで押さえて刃の突出量を被覆の厚さ分だけ切れるように調節し、フックに沿わせてケーブルを移動させることで被覆部分のみを切ることができる。ケーブルストリッパーは安全であるが、刃の長さ調節がうまくいかないとケーブル内部の電線等を傷つけてしまう恐れがある。
カッターナイフは被覆への切り込み深さを手の感覚で調節しながら被覆を切断するので、熟達すればケーブルの内部を傷つけることが少なく、また、刃の調節をする必要がないので作業時間を短縮することができる。しかし、ケーブルの被覆を長手方向に沿って切り開くような場合、カッターナイフの刃がケーブルから外れて怪我をする恐れが高い。
これのような問題を解決する方法として、刃がケーブルから外れると刃を収納するような安全装置を設けることが考えられる。特許文献１、２に記載の考案は刃をバネで引き込むように力を付与し、かつ、刃が突出した状態において所定のストッパで刃の突出を維持したもので、刃が所定の衝撃を受けるとストッパが外れて刃が没入するように構成されている。
また、特許文献３に記載の考案は、刃をバネで引き込むように力を付与し、手で刃の突出を押さえるものである。
【先行技術文献】
【特許文献】
【０００３】
【特許文献１】特開平５−２１２１６１号公報
【特許文献２】特開平１１−４９７９号公報
【特許文献３】特開２０００−３４２８６５号公報
【考案の概要】
【考案が解決しようとする課題】
【０００４】
上記特許文献１、２に記載の考案は、ストッパを設ける必要があるため機構が複雑になり、また、ストッパが外れなかったり、必要のないときにストッパが外れたりする恐れがある。特許文献３に記載の考案は、構造が簡易であるが、刃が外れたときに手を離さないと刃は引き込まれないので、安全装置としての精度が高くない。
本考案は、このような問題に鑑み、簡易な構造で高い確率で刃が外れた刃を引き込むことができる機構を有するケーブル被覆除去具を提供することを課題とする。
【課題を解決するための手段】
【０００５】
上記課題を解決するために本考案は次のような構成を有する。即ち、本考案に係るケーブル被覆除去具は、鉤状に形成された刃が先端に設けられた細長い板体からなる刃部と、前記刃部を先端側から出没できるように内部に保持する筒状体からなり、側面に長手方向に沿った長穴が形成される胴部と、前記胴部内部において、一端側が前記刃部に接合され他端側が前記胴部に接合される、前記刃部が前記胴部の先端側から突出した状態において前記刃部を前記胴部内部に引き込む力を付与する弾性体からなる引張り部と、前記刃部に固定され前記胴部の長穴から表出する突起からなる摘み部とを有する。
【考案の効果】
【０００６】
以上の構成から、本考案は使用に際して、摘み部を操作して刃部先端を胴部先端から突出させ、突出した刃部の鉤状の刃をケーブルの被覆に引っ掛け、この状態で摘みを持つ指を離してからケーブルの長手方向に沿って刃を移動させて被覆を切断していく。摘みから指が離れることで刃部は引張り部により常に胴部に引き込まれる力が付与される一方、刃部の先端は鉤状となっていてケーブルの被覆に引っ掛かるために刃部が被覆から外れない状態においては、刃部は胴部内に引き込まれることがない。そして、刃部が誤って被覆から外れると刃部を押さえる力がなくなるので、引張り部により刃部は胴部内部に引き込まれて胴部内に収納されることになる。このような動作により、刃部によって怪我をする確率を著しく低減させることができる。本考案は、安全装置におけるストッパを被覆と刃との係合で代用するため、構造を簡単にでき、また、刃が被覆から外れると必ず刃のストッパが外れることになるので安全性が高い。
【図面の簡単な説明】
【０００７】
【図１】実施形態に係るケーブル被覆除去具の斜視図である。
【図２】（ａ）は図１のＡ−Ａ線断面図であり、（ｂ）は（ａ）の状態において刃が没入した状態を示す断面図である。
【図３】実施形態に係るケーブル被覆除去具の使用状態を示す図である。
【考案を実施するための形態】
【０００８】
以下、本考案の実施の形態について、図面を参照しながら説明する。
図１に本実施形態に係るケーブル被覆除去具Ｘの斜視図を示し、図２（ａ）に図１のＡ−Ａ断面図を示し、図２（ｂ）に（ａ）の断面図において刃部が没入した状態の断面図を示す。なお、図１、図２（ａ）に示すものは刃を使用者の操作によって突出させた状態のものであり、ケーブル被覆除去具Ｘは、通常、図２（ｂ）の状態となる。ケーブル被覆除去具Ｘは、刃部１０、胴部２０、引張り部３０、摘み部４０とから構成される。
刃部１０は、細長い金属の板体により形成され先端が鉤状になっている。そして、鉤状部分の内側に刃１１が形成されている。
胴部２０は円筒体で先端部分が縮径し、最先端部分に前記刃部１０の断面形状にほぼ近似する扁平なスリーブ２１が形成されている。スリーブ２１の後部には刃部１０を挟むように棒体からなる２本のガイドピン２５が固定される。胴部２０の基端側はゴムのキャップ２２により封止されている。また、胴部２０の側面基端側には長手方向に沿った長穴２３が設けられている。
【０００９】
引張り部３０は引張りバネ３１と、引張りバネ３１の一端側が係合する刃部１０の基端に設けられる穴１２と、引張りバネ３１の他端側が係合する胴部２０の内部基端位置に固定される係合棒２４とから構成される。引張りバネ３１は後述する摘み部４０を先端側いっぱいまで移動させた状態において、刃１１がケーブルの被覆を切断するのに要する力よりもやや小さくなるような強さのものが採用される。
摘み部４０は胴部２０の長穴２３から頭部が表出するネジ４１と、ネジ４１に固定される長穴２３の裏面に当接する細長い板体からなる目隠し板４２とから構成される。ネジ４１の先端は刃部１０の基端側に設けられる穴１３にナットで連結固定されている。これにより、摘み部４０を移動させると刃部１０も移動する。刃部１０は摘み部４０を長穴２３の先端に移動させた状態で刃１１が胴部２０の先端から突出するような長さに設定される。また、目隠し板４２はネジ４１が長穴２３のいずれの位置にあっても長穴を裏面を覆うような長さに設定される。
【００１０】
次に、以上の構成を有するケーブル被覆除去具Ｘの使用方法について説明する。まず、使用者は胴部２０を持って親指で摘み部４０を押して移動させ、刃部１０の刃１１を胴部２０の先端から突出させる。次に、このままケーブルの被覆に刃１１を差し入れる。この際、刃１１がケーブル内部に垂直に当接しないように、被覆の円周方向にやや傾けて刃１１を差し入れることが望ましい。次に、摘み部４０を押していた親指を離して胴部の側面に移動させる。そして、この状態で胴部２０を基端側に引くこと被覆をケーブルの長手方向に切断していく。図３に切断時の状態を表す図を示す。この状態では刃部１０は先端側に押す力がないので、引張り部３０により常に基端側に引張られる状態となるが、刃１１が被覆に引っ掛かっているので刃１１が胴部２０内に引き込まれることはない。このまま、所定長さを切断すれば作業は完了する。
一方、被覆を切断しているときに、使用者が操作を誤って刃１１が被覆から外れてしまうと、基端側に引張られる刃部１０の移動を規制するものがなくなるので、刃部１０は引張り部３０により引張られて胴部２０に瞬間的に没入することとなる。これにより刃部１０が被覆から外れた勢いで胴部２０の先端が体の一部に強く当たるようなことがあっても、ほとんどの場合、刃部１１は体に当たる前に胴部２０内部に収納されているので使用者は怪我をすることがない。
本実施形態に係るケーブル被覆除去具Ｘは、上記のように特別な刃部１０の係止構造を有さない簡易な構造で、ケーブルの被覆を適切に切断しているときには刃１１を突出させた状態を維持でき、一旦ケーブルの被覆から刃１１が外れると直ちには刃１１を胴部２０内に没入させることができる。
【００１１】
なお、上記実施形態では引張り部３０を構成する弾性体として引張りばねを用いているが、弾性体としてゴムなどを用いてもよく、また、圧縮バネを用いてもよい。圧縮バネを用いる場合は、胴部内部の先端側で圧縮バネの先端側を支持し、圧縮バネの他端側を刃部に接合するようにすればよい。
【符号の説明】
【００１２】
Ｘ  ケーブル被覆除去具
１０  刃部
１１  刃
２０  胴部
２１  スリーブ
２３  長穴
３０  引張り部
３１  引張りバネ
４０  摘み部
【図１】
0003172431.tif 000003
【図２】
0003172431.tif 000004
【図３】
0003172431.tif 000005